(57)【特許請求の範囲】
【請求項１】
垂木と、前記垂木の下側に取り付けられる垂木取付部材と、を有する垂木ユニットであって、
前記垂木取付部材は、前記垂木の長手方向と交差する交差方向において前記垂木の両側にて側面をなす側面部と各々対向する側部を備え、
前記垂木の前記側面部及び前記垂木取付部材の前記側部のうちのいずれか一方は、前記側面部と前記側部とが互いに対向する方向に突出する突起部を有し、
前記垂木の前記側面部及び前記垂木取付部材の前記側部のうちの他方は、前記長手方向における一部を前記側面部と前記側部とが互いに対向する方向に突出しており、突出していない部位と最も突出している部位との間が傾斜面にて繋がる皿状に形成されている突出部を有し、
前記突起部が前記突出部と係合して前記垂木取付部材が、前記垂木に保持されることを特徴とする垂木ユニット。
【請求項２】
請求項１に記載の垂木ユニットであって、
前記側部は、互いに対面させて設けられており、
前記垂木または前記垂木取付部材は、弾性変形することにより前記側部の間隔または前記側面部の間隔が変化して前記突起部が前記突出部と係合可能に構成されていることを特徴とする垂木ユニット。
【請求項３】
請求項１または請求項２に記載の垂木ユニットであって、
前記垂木に保持された前記垂木取付部材は、前記突出部を貫通するビスにて固定されていることを特徴とする垂木ユニット。
【請求項４】
請求項１乃至請求項３のいずれかに記載の垂木ユニットであって、
前記垂木取付部材は、前記長手方向に沿う方向に移動されて開閉されるカーテンを案内するカーテンレールを備えていることを特徴とする垂木ユニット。
【発明の詳細な説明】
【技術分野】
【０００１】
本発明は、垂木と、垂木の下側に取り付けられる垂木取付部材と、を有する垂木ユニットに関する。
【背景技術】
【０００２】
垂木と、垂木の下側に取り付ける垂木取付部材と、を有する構成としては、例えば、アルミ押出材の垂木の下にアルミ押出材の垂木化粧材を設置する屋根フレームが知られている（例えば、特許文献１参照）。この屋根フレームの垂木化粧材には、垂木間に配置される日除けの両端のローラーを案内する断面Ｃ字状のガイドレールと、ガイドレールの上側にて垂木化粧材を垂木に固定するビスを覆うためのスナップイン装着用の溝枠と、が設けられている。一方、垂木は、基板の下面の幅方向に一対の垂下条を有し、垂下条の下に垂下条と一体をなし垂木化粧材が固定されるネジ受条が設けられており、ネジ受条の下端が互いに外側に突出する部位を有している。このネジ受条の外側に突出している部位が、ネジ受条の外側に配置される垂木化粧材の溝枠の下端に設けられた凹部に係合されて、ネジ受条と溝枠とがビス止めされることにより、垂木化粧材が垂木に固定されている。
【先行技術文献】
【特許文献】
【０００３】
【特許文献１】特開２００９−１２１２０７号公報
【発明の概要】
【発明が解決しようとする課題】
【０００４】
上記のような屋根フレームは、垂木が有しネジ受条の外側に突出している部位が、垂木化粧材の溝枠の下端に設けられた凹部に係合されているが、垂木も垂木化粧材もアルミ押出材であるため、ネジ受条の外側に突出している部位は垂木の長手方向に沿って全域に、溝枠の下端に設けられた凹部は垂木化粧材の長手方向に沿って全域にそれぞれ設けられている。このため、ネジ受条の外側に突出している部位と、溝枠の下端に設けられた凹部とを係合する範囲が広くなるため、取付作業が煩雑であるとともに、摩擦力が大きくなり係合させるために大きな力が必要となるという課題がある。
【０００５】
本発明は、かかる課題に鑑みてなされたものであり、その目的とするところは、垂木の下に容易に保持させることが可能な垂木取付部材を備えた垂木ユニットを提供することにある。
【課題を解決するための手段】
【０００６】
かかる目的を達成するために本発明の垂木ユニットは、垂木と、前記垂木の下側に取り付けられる垂木取付部材と、を有する垂木ユニットであって、前記垂木取付部材は、前記垂木の長手方向と交差する交差方向において前記垂木の両側にて側面をなす側面部と各々対向する側部を備え、前記垂木の前記側面部及び前記垂木取付部材の前記側部のうちのいずれか一方は、前記側面部と前記側部とが互いに対向する方向に突出する突起部を有し、前記垂木の前記側面部及び前記垂木取付部材の前記側部のうちの他方は、前記長手方向における一部を前記側面部と前記側部とが互いに対向する方向に突出しており、突出していない部位と最も突出している部位との間が傾斜面にて繋がる皿状に形成されている突出部を有し、前記突起部が前記突出部と係合して前記垂木取付部材が、前記垂木に保持されることを特徴とする垂木ユニットである。
【０００７】
このような垂木ユニットによれば、垂木の側面部及び垂木取付部材の側部のうちのいずれか一方に設けられて前記側面部と前記側部とが互いに対向する方向に突出する突起部が、係合されて、垂木に保持される。このとき、突起部と係合する突出部は、押出成形後の加工により長手方向における一部に形成されているので、突出部が形成される部材が押出成形部材であっても、突起部と係合する部位は長手方向における一部にて突出部を突起部に容易に係合させることが可能である。このため、垂木取付部材を垂木に容易に保持させることが可能である。
【０００８】
また、突出部が皿絞り加工により形成され、皿状をなしているので、加工により突出されない部位と最も突出された部位との間は、傾斜面にて繋がっている。このため、例えば垂木取付部材を垂木の下方から上方に移動させて垂木の突起部に係合させる際に、傾斜部により案内されるので、容易に係合させることが可能である。また、バーリング加工のように、下穴を設ける必要がないので一工程にて突出部を形成することが可能であり、また、打ち抜かないのでプレス力を小さく抑えることが可能である。
【０００９】
かかる垂木ユニットであって、前記側部は、互いに対面させて設けられており、前記垂木または前記垂木取付部材は、弾性変形することにより前記側部の間隔または前記側面部の間隔が変化して前記突起部が前記突出部と係合可能に構成されていることが望ましい。
このような垂木ユニットによれば、垂木取付部材が垂木の下方から上方に移動される際に突起部と突出部とが接触することにより、垂木または垂木取付部材が弾性変形し側部の間隔または側面部の間隔が変化し、突出部が突起部を越えて垂木または垂木取付部材が復元されるので、垂木と垂木取付部材との一方が他方に挟持されて垂木取付部材が垂木に保持される。そして、垂木と垂木取付部材との一方が他方に挟持された後には、垂木取付部材の弾性力に反して、側部の間隔または側面部の間隔が変化しないと垂木取付部材は垂木から外れないので、垂木取付部材がより外れ難い垂木ユニットを提供することが可能である。
【００１０】
かかる垂木ユニットであって、前記垂木に保持された前記垂木取付部材は、前記突出部を貫通するビスにて固定されていることが望ましい。
このような垂木ユニットによれば、垂木取付部材は突出部を貫通するビスにて垂木に固定されるので、垂木取付部材をより確実に垂木に保持させることが可能である。
【００１１】
かかる垂木ユニットであって、前記垂木取付部材は、前記長手方向に沿う方向に移動されて開閉されるカーテンを案内するカーテンレールを備えていることが望ましい。  
このような垂木ユニットによれば、垂木取付部材が、長手方向に沿う方向に移動されて開閉されるカーテンを案内するカーテンレールを備えているので、垂木ユニットが用いられる構造物に、長手方向に沿う方向に移動されて開閉されるカーテンを容易に設けることが可能である。
【発明の効果】
【００１２】
本発明によれば、垂木の下に容易に保持させることが可能な垂木取付部材を備えた垂木ユニットを提供することが可能である。
【図面の簡単な説明】
【００１３】
【図１】本実施形態に係る垂木ユニットを用いたテラス屋根の縦断面図である。
【図２】垂木を示す正面図である。
【図３】レール部材を示す正面図である。
【図４】レール部材を示す側面図である。
【図５】レール部材の垂木への取り付け方法を示す図である。
【発明を実施するための形態】
【００１４】
以下、本発明の一実施形態に係る垂木ユニットについて図面を参照して説明する。
【００１５】
本実施形態の垂木ユニットは、例えば、図１に示すようなテラス屋根の垂木材として用いられる。より具体的には、建物の外壁部１に沿ってほぼ水平に取り付けられた垂木掛け３と、垂木掛け３の両端部に、建物から離れる方向に向かって高さが低くなるように固定される側枠（不図示）と、垂木掛け３と間隔を隔ててほぼ平行に設けられて側枠の先端に連結される前枠５とで形成される矩形状の枠部に、複数の垂木ユニット１０が設けられている。垂木ユニット１０は、外壁面に沿う方向に適宜間隔を隔てて垂木掛け３と前枠５との間に掛け渡され、その上部に屋根材７が設けられてテラス屋根が構成されている。
【００１６】
また、このテラス屋根には、互いに隣り合う垂木ユニット１０間に日除け用のカーテン（不図示）が、垂木ユニット１０の長手方向に沿って移動することにより開閉可能に設けられる。
【００１７】
垂木ユニット１０は、垂木掛け３と前枠５とに固定される垂木１１と、垂木１１に下方から取り付けられ、カーテンを案内するカーテンレール２２を備えた垂木取付部材としてのレール部材２０と、を有している。
【００１８】
以下の説明においては、建物に取り付けられた状態のテラス屋根を建物に向かって見たときに、上下となる方向を上下方向、左右となる方向を左右方向、垂木掛けと前枠とを繋ぐ方向となる垂木ユニット１０の長手方向を長手方向として示す。
【００１９】
垂木１１は、アルミニウム製の押出成形部材であり、図２に示すように、断面がほぼ矩形状をなす本体部１２と、垂木１１の本体部１２の上面１２ａに設けられて屋根材７を保持する屋根材保持部１７と、を有している。
【００２０】
本体部１２は、上下に位置して対向する上板部１２ｂ及び下板部１２ｃと、左右に位置して対向し上板部１２ｂと下板部１２ｃとを繋ぐ一対の側板部１２ｄ、１２ｅとが、長手方向に連通する中空部を形成するように構成されている。一対の側板部１２ｄ、１２ｅは、上端側は上板部１２ｂの端部からほぼ鉛直に形成されており、半分より下側は下方に向かって互いに近づく方向、すなわち中空部の内側に入り込むように僅かに傾斜している。このため、下板部１２ｃの左右方向の幅は、上板部１２ｂの幅より狭く形成されている。
【００２１】
上板部１２ｂの幅より狭く形成された下板部１２ｃの左右端部からは下板部１２ｃを延長するように両側に突出された突起部１３が設けられている。左に突出された突起部１３の先端と右に突出された突起部１３の先端との幅は、上板部１２ｂの幅とほぼ等しく形成されている。本実施形態においては、本体部１２の一対の側板部１２ｄ、１２ｅと、上板部１２ｂ及び下板部１２ｃとの左右端部にて、本体部１２の側面をなしている部位が、側面部に相当する。
【００２２】
上板部１２ｂの上面１２ａにおける左右方向の両端部には、屋根材７を支持するとともに屋根材７の下面と上面１２ａとの間をシールする下シール材１４が係合されるシール係合部１２ｆが設けられている。
【００２３】
屋根材保持部１７は、上面１２ａの左右方向における中央から上方に延出された延出部１８と、延出部１８の上端と繋がって上板部１２ｂの上面１２ａと上下方向に間隔を隔てて対向する対向板部１９とを有している。対向板部１９は、上板部１２ｂの左右方向の幅とほぼ同じ幅を有しており、下面の両端部には、下シール材１４とともに屋根材７を挟持しつつ対向板部１９と屋根材７との間をシールする上シール材１５が嵌合されるシール嵌合部１９ａが設けられている。すなわち、垂木１１には、本体部１２の上板部１２ｂと屋根材保持部１７の延出部１８及び対向板部１９にて、左右方向に開放された空間１１ａが形成されている。そして、垂木１１の空間１１ａに屋根材７の端部が収容され、対向板部１９に設けられた上シール材１５と、屋根材７と上面１２ａとの間に嵌め込まれてシール係合部１２ｆに係合される下シール材１４とにて屋根材７が保持される。
【００２４】
レール部材２０は、アルミニウム製の押出成形部材であり、図３に示すように、垂木１１の下にて左右にそれぞれ配置されてカーテンの移動を案内する一対のカーテンレール２２と、一対のカーテンレール２２を連結する連結部２３と、一対のカーテンレール２２の上方に鉛直方向に立設されて垂木１１に取り付けられる側部としての取付板部２５と、を有している。
【００２５】
カーテンレール２２は、垂木１１の下に配置され、垂木ユニット１０の左右方向における両側に設けられるカーテンのそれぞれの端部に設けられたローラーを長手方向に沿って走行自在に収容する、断面がＣ字状をなす部位である。カーテンは垂木ユニット１０の両側に設けられるため、対をなすカーテンレール２２は、各々のＣ字状の開放された部位が互いに外側を向けられるとともに、互いに間隔をへだてて配置されている。互いに間隔が隔てられた一対のカーテンレール２２は、ローラーが走行する走行部２２ａの下面と面一になるように連結する連結部２３にて連結されている。一体に繋がった連結部２３及び一対の走行部２２ａの下面は、テラス屋根の下方に露出する部位なので、塗装やしぼ加工などの表面処理による化粧が施されていることが望ましい。
【００２６】
一対のカーテンレール２２の上面には、各々上方に立設された取付板部２５が長手方向に沿って互いに対面するように設けられている。対面する取付板部２５の左右方向の間隔は、垂木１１の左右方向の幅とほぼ等しく形成されている。また、各々の取付板部２５には、図４に示すように、長手方向に適宜間隔を隔てた複数箇所に、押出成形後の加工である皿絞り加工により突出部としての皿絞り部２５ａが形成されている。すなわち、皿絞り部２５ａは、レール部材２０の長手方向における一部に形成されている。皿絞り部２５ａは、各々の取付板部２５から内側に突出するように皿状の窪ませて形成されている。このため、取付板部２５から突出している部位は、突出する方向に向かって窪み部分の外径が小さくなるような傾斜部分２５ｂを有している。
【００２７】
レール部材２０は、左右にそれぞれ設けられたカーテンレール２２及び取付板部２５が板状をなす連結部２３にて連結されており、取付板部２５の先端の間隔が広がったり狭くなったりするように弾性変形可能である。
【００２８】
レール部材２０は、垂木掛け３と前枠５とに架け渡されて固定された垂木１１に、図５に示すように下方から取り付けられる。
【００２９】
レール部材２０を本体部１２に取り付ける際には、図５（ａ）に示すように、取付板部２５が上方に位置するように垂木１１の下方に配置され、対面する取付板部２５の間に本体部１２が挿入されるようにレール部材２０を本体部１２に近づけていく。
【００３０】
本体部１２の下端の幅、すなわち、左右方向の両側に設けられた突起部１３の一方の突起部１３の先端から他方の突起部１３の先端までの距離は、レール部材２０の対面する取付板部２５の間隔とほぼ等しいので、まず、取付板部２５の上端同士が、本体部１２の下端を挟むように、レール部材２０が本体部１２に係合される。
【００３１】
取付板部２５の上端同士が、本体部１２の下端を挟むように係合された状態から、さらにレール部材２０を上方に押し上げると、取付板部２５に設けられた皿絞り部２５ａが本体部１２の突起部１３に当接される。このとき、突起部１３は皿絞り部２５ａの傾斜部分２５ｂに当接される。
【００３２】
皿絞り部２５ａの傾斜部分２５ｂが突起部１３に当接された状態で、さらにレール部材２０を上方に押し上げると、突起部１３の先端が傾斜部分２５ｂを摺動しつつレール部材２０の上方に皿絞り部２５ａが移動する。このとき、傾斜部分２５ｂが突起部１３に押圧されることにより、図５（ｂ）に示すように、レール部材２０が弾性変形し、対面する取付板部２５の間隔が広がるように変化しつつ皿絞り部２５ａが突起部１３を通過し、突起部１３を通過したときに、図５（ｃ）に示すように、レール部材２０の弾性変形した状態から復元する。
【００３３】
弾性変形した状態から復元したレール部材２０は、取付板部２５がほぼ平行な状態となり、先端部が本体部１２の側板部１２ｄ、１２ｅの上部側にてほぼ鉛直な部位に当接され、皿絞り部２５ａは、本体部１２の側板部１２ｄ、１２ｅの下側にて傾斜している部位に入り込み、取付板部２５がほぼ鉛直な姿勢となる。この状態では、取付板部２５と側板部１２ｄ、１２ｅとが互いに対向する方向に突出している皿絞り部２５ａが、取付板部２５と側板部１２ｄ、１２ｅとが互いに対向する方向に突出している突起部１３に係合されている。
【００３４】
皿絞り部２５ａが突起部１３に係合された状態で、レール部材２０は垂木１１に保持されるが、本実施形態では、図５（ｄ）に示すように、皿絞り部２５ａの左右方向からそれぞれビス３０を貫通させるとともに、本体部１２の側板部１２ｄ、１２ｅの下側部分に螺合させてレール部材２０を垂木１１に固定している。
【００３５】
本実施形態の垂木ユニット１０によれば、垂木１１に保持される押出成形部材のレール部材２０は、垂木１１の両側にそれぞれ配置される取付板部２５に設けられた皿絞り部２５ａが、垂木１１に設けられ取付板部２５の方向に突出する突起部１３に係合されて、垂木１１に保持される。このとき、垂木１１の突起部１３と係合するレール部材２０の皿絞り部２５ａは、押出成形後の皿絞り加工により長手方向における一部に形成されているので、レール部材２０が押出成形部材であっても、垂木１１と係合する部位が長手方向における一部にて皿絞り部２５ａを突起部１３に容易に係合させることが可能である。このため、レール部材２０を垂木１１に容易に保持させることが可能である。
【００３６】
また、皿絞り加工により形成された皿絞り部２５ａは皿状をなしているので、皿絞り加工により突出されない部位と最も突出しされた部位との間は、傾斜面を有する傾斜部分２５ｂにて繋がっている。このため、例えばレール部材２０を垂木１１の下方から上方に移動させて垂木１１の突起部１３に係合させる際に、傾斜部分２５ｂに案内されて、対面する取付板部２５が押し広げられるので、容易に係合させることが可能である。また、皿絞り加工は、バーリング加工のように、下穴を設ける必要がないので一工程にて突出部を形成することが可能であり、また、穴を形成しないので、プレス加工におけるプレス力を小さく抑えることが可能である。
【００３７】
また、垂木１１の両側に配置される、レール部材２０の皿絞り部２５ａが備えられている取付板部２５は、互いに対面しており、レール部材２０が垂木１１の下方から上方に移動される際に弾性により取付板部２５の間隔が広げられ、皿絞り部２５ａが突起部１３を越えた位置にて取付板部２５の間隔が復元されるので、垂木１１が取付板部２５により挟持されてレール部材２０が垂木１１に保持される。そして、垂木１１がレール部材２０に挟持された後には、レール部材２０の弾性力に反して、互いに対面する取付板部２５間の間隔が広げられないとレール部材２０は垂木１１から外れないので、レール部材２０がより外れ難い垂木ユニット１０を提供することが可能である。
【００３８】
また、本実施形態のレール部材２０は皿絞り部２５ａを貫通するビス３０にて垂木１１に固定するので、レール部材２０をより確実に垂木１１に保持させることが可能である。
【００３９】
また、レール部材２０が、長手方向に沿う方向に移動されて開閉されるカーテンを案内するカーテンレール２２を備えているので、垂木ユニット１０が用いられる構造物に、長手方向に沿う方向に移動されて開閉されるカーテンを容易に設けることが可能である。
【００４１】
上記実施形態では、垂木１１が突起部１３を有し、レール部材２０が突出部としての皿絞り部２５ａを有する例について説明したが、垂木が突出部を有し、垂木取付部材が突起部を有していても構わない。そして、垂木が突出部を有している場合には、垂木の両端をなす小口から治具を挿入して小口近傍に突出部を設けたり、垂木を下面側が開放された断面コ字状、すなわち、上板部と側面部とで構成すると、側面部に突出部を容易に形成することが可能である。このとき、垂木が下方に開放されている形状をなしている場合には、両側面部間に垂木取付部材の側部が挿入されて、突起部と突出部とが係合されるように構成しても良い。このときには、垂木取付部材が下方から側面部間に挿入されて突出部と突起部とが接触した際に、弾性変形により側部間の間隔が狭められて突出部と突起部とが係合しても良い。
【００４２】
また、垂木及び垂木取付部材のうちの突出部が設けられない部材は、必ずしも押出成形にて製造されなくとも構わない。
【００４３】
上記実施形態においては、垂木取付部材がカーテンレールを備えている例について説明したが、これに限るものではない。例えば、下面に化粧が施された化粧カバーであったり、その他の機能が備えられていても良い。
【００４４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４５】
１０  垂木ユニット、１１  垂木、１２ｃ  下板部、１３  突起部、２０  レール部材、
２２  カーテンレール、２５  取付板部、２５ａ  皿絞り部、２５ｂ  傾斜部分、
２７  バーリング部、２７ａ  貫通孔、３０  ビス
【図１】
0005847635.tif 000002
【図２】
0005847635.tif 000003
【図３】
0005847635.tif 000004
【図４】
0005847635.tif 000005
【図５】
0005847635.tif 000006